(57)【要約】【課題】  加熱調理器の前面パネルにおける電池収納口としての開口部の大きさを必要最小限に抑えることができる加熱調理器を提供する。【解決手段】  電池収納口２０側の内周縁が電池ボックス蓋１８の回転中心軸となる係合孔６４，６４を、電池収納口２０のから垂直に折り返して形成された底板６１に設け、この係合孔６４，６４に挿通され、屈曲部が係合孔６４，６４と係合する屈曲回転部材４６，４６と、この係合状態を維持するための保持部材４７，４７を電池ボックス蓋１８に設けた。  【選択図】  図４
2008034108.tif 000002
【特許請求の範囲】
【請求項１】
電池ボックスの電池収納口に電池ボックス蓋を開閉自在に備えた加熱調理器において、前記電池収納口の一内周端縁で垂直に折り返された取付板には前記電池収納口側の内周縁が前記電池ボックス蓋の回転中心軸となる係合孔が設けられ、前記電池ボックス蓋の一端縁には前記係合孔に挿入されて前記係合孔の電池収納口側の内周縁に係合される屈曲回転部材が設けられると共に、この係合状態を維持するために前記取付板上に受止される保持部材が設けられていることを特徴とする加熱調理器。
【請求項２】
前記屈曲回転部材の先端には前記係合孔からの抜け止め突起が設けられていることを特徴とする請求項１に記載の加熱調理器。
【請求項３】
前記屈曲回転部材が弾性力を有していることを特徴とする請求項１または２に記載の加熱調理器。
【請求項４】
前記電池ボックスの収納口の両側端縁から折り返された側板には係止孔が設けられ、電池ボックス蓋には該係止孔に係脱自在に係止可能な係止突起が設けられていることを特徴とする請求項１〜３に記載の加熱調理器。
【請求項５】
前記電池ボックス蓋の外周縁には前記電池収納口への案内部が設けられていることを特徴とする請求項１〜４に記載の加熱調理器。  
【発明の詳細な説明】
【技術分野】
【０００１】
本発明は、加熱調理器に関し、更に詳しくは、電源用電池を出入れするための電池収納口に、電池ボックス蓋が開閉自在に備えられた加熱調理器に関するものである。
【背景技術】
【０００２】
従来、この種の加熱調理器としては、ビルトインコンロやテーブルコンロ等が既に知られているが、これらの加熱調理器には、燃焼制御等のための電源用電池が収納される電池ボックスが調理器本体に取付けられている。そして、この電池ボックスに収納される電池の取り出しや装着は、調理器本体の前面パネルに開設された電池収納口より可能となっており、この電池収納口には電池ボックス蓋が開閉自在に取り付けられている（例えば特許文献１参照）。
【０００３】
加熱調理器の前面パネルに取り付けられる電池ボックス蓋の取付構造としては以下に示すものが挙げられる。まず、第一の従来技術を図６に示す。この電池ボックス蓋１００は、その両側面の下部に回転軸１０２，１０２が備えられ、この回転軸１０２，１０２が前面パネル１０４に設けられた回転軸受け孔１０６，１０６に軸支される。これによって回転軸１０２，１０２を回転中心軸として開閉自在に取り付けられたものである。
【０００４】
また、第二の従来技術として、加熱調理器に限らずケース体の開閉蓋構造としていわゆる蝶番構造が広く知られている。蝶番構造は、開閉蓋とその開閉蓋の取付部に設けられた円筒状の軸筒部に、回転軸となる軸棒が挿通され、開閉蓋が開閉自在に固定されたものである。
【０００５】
【特許文献１】特開２００６−３０５３号公報
【発明の開示】
【発明が解決しようとする課題】
【０００６】
図７に上記第一の従来技術である電池ボックス蓋１００の閉蓋時（ａ）と開蓋時（ｂ）を表す断面図を示す。開閉蓋１００の回転中心軸Ｘはその構造上、電池収納口１１２の底面１１０よりも幾分高い位置にある。よって、図７（ｂ）に示されるように、電池ボックス蓋１００の開蓋時には、図中の高さＨ分電池ボックス蓋１００が電池収納口１１２を遮り、電池ボックス１２０に収納された電池１１４の出入が可能となるスペースがなくなる。つまり、電池１１４が出入自在となる十分なスペースを確保して前面パネル１０４に電池収納口１１２を形成したとしても、電池の出入れができない、又は出入れしづらいといった不具合が発生する。
【０００７】
したがって、図７（ｃ）に示すように、電池の出入を考慮して、電池が十分通過するスペースであるＳ寸法にＨ寸法を加えた必要以上の大きさの電池収納口１１２を確保しなければならず、加熱調理器の前面パネル１０４におけるデザインスペースや部品配置スペースを狭めてしまうという問題があった。
【０００８】
また、第二の従来技術である蝶番構造であれば、回転中心軸はほぼ電池収納口の端縁と同じになるため、上記のように電池収納口が小さくなってしまうということはないが、回転軸となる軸棒が接続部品として必要となることや、この軸棒が挿通される円筒部を電池ボックス蓋及び前面パネルに設ける必要があり、加熱調理器の製造コストが嵩んでしまうという問題があった。
【０００９】
本発明が解決しようとする課題は、調理器本体の前面パネルに開閉自在に設けられる電池ボックスの蓋の回転中心軸の位置を、電池の取り出し、装着口である電池収納口の端縁と同じ高さにすることによって、調理器本体の前面パネルにおけるデザインスペースや部品配置スペースが狭められることのない加熱調理器を簡単な構造でかつ低コストに提供することにある。
【課題を解決するための手段】
【００１０】
上記課題を解決するために本発明に係る加熱調理器は、請求項１に記載のように、電池ボックスの電池収納口に電池ボックス蓋を開閉自在に備えた加熱調理器において、前記電池収納口の一内周端縁で垂直に折り返された取付板には前記電池収納口側の内周縁が前記電池ボックス蓋の回転中心軸となる係合孔が設けられ、前記電池ボックス蓋の一端縁には前記係合孔に挿入されて前記係合孔の電池収納口側の内周縁に係合される屈曲回転部材が設けられると共に、この係合状態を維持するために前記取付板上に受止される保持部材が設けられていることを要旨とするものである。  
【００１１】
この場合、請求項２に記載のように、前記屈曲回転部材の先端には前記係合孔からの抜け止め突起が設けられていることが望ましい。また、請求項３に記載のように、前記屈曲回転部材が弾性力を持って成形されていれば良い。
【００１２】
さらに、請求項４に記載のように、前記電池ボックスの収納口の両側端縁から折り返された側板には係止孔が設けられ、電池ボックス蓋には該係止孔に係脱自在に係止可能な係止突起が設けられていれば好適である。また、請求項５に記載のように、前記電池ボックス蓋の外周縁には前記電池収納口への案内部が設けられていればさらに良い。
【発明の効果】
【００１３】
本発明の請求項１に係る加熱調理器によれば、電池収納口から垂直に折り返されて形成された取付板に設けられた係合孔の手前側内周縁を回転中心軸とし、電池ボックス蓋の屈曲回転部材が該係合孔と係合し、保持部材が前記取付板に受止されることでその係合状態が維持されつつ電池ボックス蓋が回動するため、電池ボックス蓋の回転中心軸が電池収納口の端縁と同じ高さに位置することとなり、電池ボックス蓋の開蓋時においても電池収納口を電池ボックス蓋が遮ることがない。そのため、収納される電池サイズの大きさに見合った電池収納口を前面パネルに形成すればよく、前面パネルにおけるデザインスペースや、部品配置スペースを狭めることはない。また、開閉構造を蝶番構造とした場合のように、電池ボックス蓋やその接続部が複雑形状となることはなく、電池ボックス蓋の接続部品も必要としないため、加熱調理器の製造コストの低廉化につながる。
【００１４】
この時、前記屈曲回転部材の先端に前記係合孔からの抜け止め突起が設けられておれば、一旦電池ボックスの収納口に取り付けた電池ボックス蓋が外れるおそれが無い。また、上記電池ボックス蓋の屈曲回転部材が弾性力を有しておれば、電池ボックス蓋を電池ボックスの収納口に組み付けしやすい。
【００１５】
また、前記電池ボックスの収納口の両側端縁から折り返された側板には係止孔が設けられ、電池ボックス蓋には該係止孔に係脱自在に係止可能な係止突起が設けられておれば、電池ボックス蓋を閉蓋状態で固定することができ、振動等により電池ボックス蓋が勝手に開くことはない。さらに、電池ボックス蓋の外周縁には前記電池収納口に嵌り込む案内部が設けられておれば、加熱調理器の使用者の使い勝手が良いだけでなく、電池ボックス蓋の閉蓋時のがたつきが防止される。
【発明を実施するための最良の形態】
【００１６】
次に、本発明の一実施形態について、ビルトインコンロを例に図面を参照しつつ説明する。図１（ａ）（ｂ）は、一実施形態としてのビルトインコンロを示したもので、このビルトインコンロ１は、トッププレート２が外された状態で、キッチンユニットのカウンタＣに設けられた四角形状の取付孔Ｃ′に落とし込んだ後、トッププレート２をその取付孔Ｃ′の内周縁上に係止させることにより、キッチンユニットに一体的に収納されてなるものである。
【００１７】
このビルトインコンロ１は、トッププレート２の上面に左コンロ３、右コンロ４、奥コンロ５が設けられ、各コンロ部にはそれぞれ調理容器等が載置される五徳が備えられる。一方、このビルトインコンロ１の前面パネル７の中央位置には、焼き魚等の調理のためのグリル６が設けられている。
【００１８】
そして、トッププレート２の下には、制御基板や電線等の電装類や、燃料となるガスを搬送、遮断するガス管、ガスバルブといったものがビルトインコンロ１の枠体であるケース本体１９に固定されて配設されている。このケース本体１９は、前面パネル７と連結されており、該前面パネル７には、各コンロ部３，４，５及びグリル６の点火スイッチである左コンロスイッチ８、右コンロスイッチ９、奥コンロスイッチ１０、グリル用スイッチ１１が設けられ、その上部には、これらのスイッチに対応させて各コンロ部３，４，５及びグリル６のバーナの火力を調節するための調節つまみ１２，１３，１４，１５がそれぞれ備えられている。
【００１９】
上記各点火スイッチの下方、図１（ｂ）の前面パネル７左下部には、このビルトインコンロ１を使用するに際してタイマー設定等の各種機能を選択操作できる機能選択操作部１６が設置されている。この機能選択操作部１６は、前面パネル７に開口部が形成されてその開口部に収納される。なお、この機能選択操作部１６は、プッシュ式に前面パネル７面から手前へパネル面が飛び出し、そのパネル面の各操作ボタンを押すことにより各機能を操作できるようになっている。
【００２０】
そして、図１（ｂ）の前面パネル７右下部には、燃焼等を制御するための電源用電池を収納する電池ボックス１７がケース本体１９内の電池ボックス収納スペースに固定される。その電池ボックス１７の手前側には、前面パネル７の開口部が位置して電池収納口２０が設けられ、その電池収納口２０を開閉するための電池ボックス蓋１８が開閉自在に取り付けられている。
【００２１】
この電池ボックス蓋１８が取り付けられる電池収納口２０の外観斜視図を図２に示す。電池収納口２０は、金属製板からなる前面パネル７が方形状に開口されて形成されたものであり、この開口部は、ビルトインコンロ１に使用される乾電池が取り出し、装着可能な大きさに形成されている。
【００２２】
また、電池収納口２０には、それぞれの側縁から垂直に折り返された４枚の板、底板６１、両側板６２，６２、上板６３が形成されている。このうち電池ボックス蓋１８の取付板となる底板６１には、方形状の角穴である係合孔６４，６４が側板６２，６２寄りに２箇所設けられている。この係合孔６４，６４には、電池ボックス蓋１８に設けられる屈曲回転部材４６，４６が挿通、係合されることで電池ボックス蓋１８は電池収納口２０に取り付けられることとなる。
【００２３】
また、両側板６２，６２のそれぞれの略中央には係止孔４４，４４が設けられている。電池ボックス蓋１８を閉じた際に、後述する電池ボックス蓋１８の係止片４２，４２に設けられた突起４３，４３がこの係止孔４４，４４に係脱自在に係止され、電池ボックス蓋１８は閉蓋状態で固定されることとなる。
【００２４】
なお、これら底板６１，両側板６０、上板６３は、ビルトインコンロ１の使用者が電池ボックス蓋１８を閉じる際、電池ボックス蓋１８が電池収納口２０にスムーズに嵌り込むための案内としても働くものである。
【００２５】
次に、この電池収納口２０を開閉する電池ボックス蓋１８の外観斜視図を図３に示す。この電池ボックス蓋１８は、ポリプロピレン等の合成樹脂から一体的に成型され、電池収納口２０よりやや小さく形成された略方形状の本体部３０が、上記電池収納口２０に嵌り込んで電池ボックス１７を閉蓋状態とするものである。
【００２６】
また、この本体部３０の下端縁３８は本体部３０の表面３１方向に突出しており、下端縁３８からは、電池ケース蓋１８を電池収納口２０に開閉自在に取付保持するため、上記電池収納口２０の底板６１に設けられた係合孔６４，６４に挿通、係合される屈曲回転部材４６，４６及びその係合状態を維持するための保持部材４７，４７，４７が形成されている。
【００２７】
屈曲回転部材４６，４６は、弾性力を持った合成樹脂で形成され、電池ボックス蓋１８の下端縁３８の両側端縁３７，３７寄りから奥行き方向に向かって一定長さ突出し、下方に向けて垂直に屈曲（第一屈曲部４８，４８）され、一定の隙間を設けて手前側に向けて再度垂直に屈曲（第二屈曲部４９，４９）された、断面コの字状の部材である。また、この屈曲回転部材４６，４６の先端側縁には、底板６１に取り付られた際の抜け止め突起５０，５０が外向きに形成されている。
【００２８】
保持部材４７，４７，４７は、電池ボックス蓋１８の下端縁３８に屈曲回転部材４６，４６よりも中央寄り三箇所から等間隔に設けられており、屈曲回転部材４６，４６と同様に奥行き方向に向かって一定長さ突出し、下方に向けて屈曲された断面Ｌ字状の部材である。また、その先端部５２，５２，５２は、上記屈曲回転部材４６，４６の第二屈曲部４９，４９の高さ位置よりも、底板６１の略板厚分高い位置に設定され、断面は半円形状となっている。
【００２９】
また、本体部３０の裏面３２には、その上端縁３６、側端縁３７，３７に沿って案内部４０が起立形成されている。この案内部４０は、電池ボックス蓋１８を閉じる際に電池ボックス蓋１８が電池収納口２０にスムーズに嵌り込むための案内となると共に、電池ボックス蓋１８の閉蓋時に、上記電池収納口２０の側板６２，６２及び上板６３，６３と面接触し、電池ボックス蓋１８のがたつきを防止する。
【００３０】
さらに、両側端縁３７，３７の中央部には弾性部材で形成された係止片４２，４２が配設されており、その係止片４２，４２の半円形状の先端部の中心からは略円錐状の係止突起４３，４３が外向きに突出して設けられている。この係止突起４３，４３は、電池ボックス蓋１８の開閉時に係止片４２，４２が弾性変形することによって、側板６２，６２の係止孔４４，４４に係脱自在となるよう設けられている。
【００３１】
一方、本体部３０の表面３１の上端縁３６の中央には、電池ボックス蓋１８の開閉時に使用される掴み部３４が突出形成されている。なお、この掴み部３４は、ビルトインコンロ１の使用者が指で摘む等して電池ボックス蓋１８を開閉できるものであれば図示するような形状である必要はない。
【００３２】
この電池ボックス蓋１８を、電池収納口２０に取り付けた時の外観斜視図を図４に示す。電池ボックス蓋１８は、屈曲回転部材４６，４６を電池収納口２０の底板６１の係合孔６４，６４へ押しつけ、屈曲回転部材４６，４６が内側に弾性変形されて係合孔６４，６４に挿通されることによって取り付けられる。屈曲回転部材４６，４６が挿通され弾性変形が解除されると、抜け止め突起５０，５０が係合孔６４，６４の内周縁より突出し、電池ボックス蓋１８の抜け止めとなる。
【００３３】
また、この屈曲回転部材４６，４６が係合孔６４，６４に挿通されただけでは、第一屈曲部４８，４８から第二屈曲部４９，４９までの間で、電池ボックス蓋１８のがたつきが生じてしまう。そのため、屈曲回転部材４６，４６が挿通されると同時に、保持部材４７，４７，４７の先端部５２，５２，５２が底板６１に受止され、屈曲回転部材４６，４６の第二屈曲部４９，４９と係合孔６４，６４の手前側の内周縁とが係合した位置で電池ボックス蓋が維持されるようになっている。
【００３４】
さらに、図のように電池ボックス蓋１８が閉状態であれば、係止片４２，４２に設けられた係止突起４３，４３が、両側板６２，６２の係止孔４４，４４に係止され、電池ボックス蓋１８が振動等によって開状態とならないよう固定されている。
【００３５】
次に、図５の断面図を用いて上記電池ボックス蓋１８の開閉機構を説明する。図５（ａ）は、電池ボックス蓋１８が閉状態での断面図であるが、保持部材４７，４７，４７の先端５２，５２，５２が底板６１に受止されることによって、屈曲回転部材４６，４６の第二屈曲部４９，４９と係合孔６４，６４の手前側内周縁の係合状態が維持されている。
【００３６】
また、上述したように、この電池ボックス蓋１８の下端縁３８は、電池ケース蓋１８の表面３１側に突出しており、各コンロ部に備えられたバーナの燃焼用空気をケース本体１９内に取り入れるための空気口７０が形成されている。
【００３７】
この閉状態から電池ボックス蓋１８の掴み部３４を持ち手前側に引くと、図５（ｂ）に示されるように、屈曲回転部材４６，４６の第二屈曲部４９，４９と、係合孔６４の手前側内周縁を回転中心軸として電池ボックス蓋１８が開放方向に回転する。この時、先端が円弧形状である保持部材４７，４７，４７の先端部５２，５２，５２が、底板６１の上を転がるようにして電池ボックス蓋１８の高さを保持し、回転中心軸である屈曲回転部材４６，４６の第二屈曲部４９，４９と、係合孔６４の手前側内周縁の係合状態を維持している。よって、電池ボックス蓋１８はがたつくことなくスムーズに回転し、電池収納口２０を開放する。
【００３８】
そして、この状態を維持しながらさらに回転すると、図５（ｃ）に示されるように、電池ボックス蓋１８は完全に開状態となる。この時、電池ボックス蓋１８の本体部３０は底板６１より低い所に位置する。つまり、電池収納口２０を電池ボックス蓋１８が遮る状態にならないため、電池収納口２０の開口部高さであるＨ寸法を電池ボックス１７に収納される電池６８の寸法に合わせて形成すれば良いことになる。
【００３９】
つまり、図６，７で示した従来技術のように、開状態で電池ボックス蓋が電池収納口を遮るため、その遮る寸法を考慮して電池収納口２０の開口部を大きくしなければならないということはない。よって、前面パネル７における電池収納口２０の開口部の大きさを、取出し、装着される電池６８が挿通可能にさえすれば良く、従来よりもその大きさを縮小することができ、前面パネル７のデザインスペースや部品配置スペースを有効に活用することができる。
【００４０】
なお、図５（ｃ）に示した屈曲回転部材４６，４６の厚みｈ分、電池収納口２０の寸法Ｈが小さくなっているが、前述したように、屈曲回転部材４６，４６は電池ボックス蓋１８の両側端縁３７寄りの２箇所にのみ設けられていることから、電池ボックス１７に収納される電池６８を出し入れするのに対し大きな妨げとなることはない。たとえ、屈曲回転部材４６，４６の厚みｈ分電池収納口２０を大きくしたとしても、電池ボックス蓋の回転中心軸が底板６１よりも高い位置にあった従来技術よりも電池収納口２０の開口部を小さく抑えることができるのは明らかである。
【００４１】
また、屈曲回転部材４６，４６の第一屈曲部４８，４８と第二屈曲部４９，４９間の寸法（Ｄ１）及び係合孔６４，６４の手前側内周縁と底板６１の折り返し点（電池収納口２０）までの寸法（Ｄ２）はほぼ一致していることが望ましい。Ｄ１がＤ２よりも小さいと電池ボックス蓋１８と底板６１が接触して電池ボックス蓋１８が完全に開状態とならないためであり、Ｄ２が大きくなりすぎると、閉蓋時の電池ボックス蓋１８の下端縁３８と電池収納口２０の下側内周縁までの隙間が大きくなってしまい、外観が良くないためである。
【００４２】
さらに、本実施形態では、電池ボックス蓋１８が合成樹脂により一体成形可能な簡易形状である。よって、電池ボックス蓋の接続に蝶番構造を使用した場合のように、電池ボックス蓋が複雑形状となることや、部品点数が増えることはなく、使い勝手の良いビルトインコンロを低コストで提供することができる。
【００４３】
以上、本発明の実施の形態について詳細に説明したが、本発明は上記実施の形態に何ら限定されるものではなく、本発明の要旨を逸脱しない範囲で種々の改変が可能である。
【００４４】
例えば、上記実施形態では、屈曲回転部材４６，４６が弾性力を有する合成樹脂製であることを説明したが、弾性があり、係合孔６４，６４に挿通できるものであれば良い。また、保持部材４７，４７，４７は、電池ボックス蓋１８の本体部３０の３箇所に配設しているが、屈曲回転部材４６，４６と係合孔６４，６４の手前側内周縁との係合状態を維持することができ、電池ボックス蓋１８の回転動作に支障が出るものでなければよい。
【００４５】
また、上記実施形態では、加熱調理器の一例としてビルトインコンロについて説明したが、テーブルコンロ等、他の加熱調理器においても各実施形態の技術思想を適用することができるのは言うまでもない。また、電池ボックス蓋に限らず、加熱調理器のその他の構成部品の開閉動作にも本発明の技術思想は適用可能であり、このことによって、十分なデザインスペースや、部品配置スペースを確保することができる。
【図面の簡単な説明】
【００４６】
【図１】（ａ）は本発明の一実施の形態に係るビルトインコンロの平面図、（ｂ）はその正面図である。
【図２】電池ボックス蓋が取り付けられる電池収納口の外観斜視図である。
【図３】この電池収納口に取り付けられる電池ボックス蓋の外観斜視図である。
【図４】電池ボックス蓋を電池収納口に取り付けた状態の外観斜視図である。
【図５】電池ボックス蓋の開閉動作を説明するための断面図である。
【図６】従来一般に知られる加熱調理器における電池ボックス蓋の取付構造を説明するために示した図である。
【図７】この従来例の加熱調理器における電池ボックス蓋の開閉状態を説明するために示した断面図である。
【符号の説明】
【００４７】
１                ビルトインコンロ（加熱調理器）
７                前面パネル
１７              電池ボックス  
１８              電池ボックス蓋    
４２，４２        係止片
４３，４３        係止突起
４４，４４        係止孔
４６，４６        屈曲回転部材
４７，４７，４７  保持部材              
５０，５０        抜け止め突起
６１              底板
６４，６４        係合孔
【図１】
2008034108.tif 000003
【図２】
2008034108.tif 000004
【図３】
2008034108.tif 000005
【図４】
2008034108.tif 000006
【図５】
2008034108.tif 000007
【図６】
2008034108.tif 000008
【図７】
2008034108.tif 000009